(57)【要約】      （修正有）【課題】太陽電池パネルの設置が作業性良く行えるうえに、十分な設置強度も得られる太陽電池パネル支持金具及び架台構造を提供する。【解決手段】重錘１３に固定される固定部１５ａを下部に有し、太陽電池パネル１１の縁部に固定される受け部１５ｂを上部に有した太陽電池パネル支持金具１５において、重錘１３を締め付ける方向に組み合わされる対をなす主金具担体５１と従金具担体５２を備える。それらのうちの主金具担体５１のみに受け部１５ｂを形成する。固定部１５ａは、主金具担体５１と従金具担体５２の双方に形成され、重錘１３としてのコンクリートブロックの上面１３ａに接する接地片５５と、接地片５５の端から延設されて重錘１３の空洞１３ｃの天井面に接して接地片５５との間で重錘１３の上面板部１３ｅを挟持する挟持挿入片５６を有する。【選択図】図３
0003218008.tif 000002
【実用新案登録請求の範囲】
【請求項１】
重錘に固定される固定部を下部に有し、太陽電池パネルの縁部に固定される受け部を上部に有した太陽電池パネル支持金具であって、
前記重錘を締め付ける方向に組み合わされる対をなす主金具担体と従金具担体を備え、
前記受け部が、前記主金具担体のみに形成され、
前記固定部が、前記重錘としてのコンクリートブロックの上面に接する接地片と、前記接地片の端から延設されて前記コンクリートブロックの空洞の天井面に接して前記接地片との間で前記コンクリートブロックの一部を挟持する挟持挿入片を有する
太陽電池パネル支持金具。
【請求項２】
前記接地片と前記挟持挿入片が、前記主金具担体と前記従金具担体の双方に形成された
請求項１に記載の太陽電池パネル支持金具。
【請求項３】
前記主金具担体と前記従金具担体の前記接地片の長さが同一である
請求項２に記載の太陽電池パネル支持金具。
【請求項４】
前記受け部が、前記太陽電池パネルの傾斜に対応して傾く傾斜片と、前記傾斜片に固定され前記太陽電池パネルの枠体を挟持する挟持具で構成された
請求項１から請求項３のうちいずれか一項に記載の太陽電池パネル支持金具。
【請求項５】
前記主金具担体が、傾斜下方側に位置するものであるとともに、
前記傾斜片が、傾斜上方に向けて延設された
請求項４に記載の太陽電池パネル支持金具。
【請求項６】
前記請求項１に記載の太陽電池パネル支持金具を用いた
太陽電池パネル架台構造。
【請求項７】
設置面の上の重錘に固定される固定部を下部に有し、太陽電池パネルの縁部に固定される受け部を上部に有した太陽電池パネル支持金具を用いて、傾斜姿勢の前記太陽電池パネルの縁部を支持する太陽電池パネル架台構造であって、
前記太陽電池パネル支持金具が、前記重錘を締め付ける方向に組み合わされる一対の主金具担体と従金具担体を備え、
前記受け部が、前記主金具担体のみに形成され、
前記固定部が、前記重錘としてのコンクリートブロックの上面に接する接地片と、前記接地片の端から延設されて前記コンクリートブロックの空洞の天井面に接して前記接地片との間で前記コンクリートブロックの一部を挟持する挟持挿入片を有し、
前記コンクリートブロックが、前記設置面に接着固定された
太陽電池パネル架台構造。
【請求項８】
前記太陽電池パネル支持金具の前記接地片と前記挟持挿入片が、前記主金具担体と前記従金具担体の双方に形成された
請求項７に記載の太陽電池パネル架台構造。
【請求項９】
前記太陽電池パネル支持金具の前記主金具担体と前記従金具担体の前記接地片の長さが同一である
請求項８に記載の太陽電池パネル架台構造。
【請求項１０】
前記太陽電池パネル支持金具の前記受け部が、前記太陽電池パネルの傾斜に対応して傾く傾斜片と、前記傾斜片に固定され前記太陽電池パネルの枠体を挟持する挟持具で構成された
請求項７から請求項９のうちいずれか一項に記載の太陽電池パネル架台構造。
【請求項１１】
複数の前記太陽電池パネル支持金具のうちの傾斜上方に位置する前記太陽電池パネル支持金具における前記傾斜片が傾斜上方に向けて延設されるとともに、
前記傾斜片の上端に、前記太陽電池パネルに係止する係止爪部が一体形成された
請求項１０に記載の太陽電池パネル架台構造。
【請求項１２】
複数の前記太陽電池パネル支持金具の前記従金具担体が、同一形状である
請求項７に記載の太陽電池パネル架台構造。
【請求項１３】
前記設置面が建物の屋上である
請求項７に記載の太陽電池パネル架台構造。
【考案の詳細な説明】
【技術分野】
【０００１】
この考案は、たとえば建物の屋上などの設置面に太陽電池パネルを設置するための架台に関する。
【背景技術】
【０００２】
前述例のような設置面に太陽電池パネルを設置する構造として、例えば縁石などのようなコンクリート製の重錘を用いるものがある。つまり、太陽電池パネルの架台構造は、設置面に載置される重錘と、重錘の上方に太陽電池パネルを傾けて支持する支持金具で構成される。
【０００３】
下記特許文献１に開示された支持架台は、いわゆる縁石と称される角柱状の重錘としての土台と、土台に嵌合可能な断面略山高帽子状の方形に形作られた支持金具としての支持部材で構成されている。支持部材は、土台に対して水平に延びて土台を貫通するボルトで結合される。また支持部材の上面の中央部には太陽電池パネルの枠部に嵌合する嵌合部が、上下方向に延びるボルトで固定されている。
【０００４】
下記特許文献２に開示された支持装置は、コンクリートなどからなる重錘としての基材と、上端が太陽電池パネルに固定された支持金具としての連結部材で構成されている。連結部材の下端部は、基材の上面の中央部に備えられたアンカーボルトからなる締結部に固定されている。
【０００５】
特許文献１の支持架台では、支持部材が土台を貫通するボルトで固定されるので、固定に際しては太陽電池パネルの下方で、且つ土台の長手方向の端から離れた内部に手を差し入れて作業をする必要があって、作業性が良くない。
【０００６】
特許文献２の支持装置は、連結部材が基材に対して上下方向に延びるアンカーボルトで固定されているので、負圧が作用して太陽電池パネルが上方へ引き上げられる力が作用した場合に、アンカーボルトには引き抜きの力が直接かかる。このため、アンカーボルトが強固に固定されていないと、強風に耐え得る十分な設置強度は得られない。
【０００７】
特許文献１、２とは異なり、前述のような中実構造のコンクリート製品ではなく、空洞を有するいわゆるコンクリートブロックを重錘として用いた架台が、下記特許文献３に開示されている。
【０００８】
特許文献３の架台では、支持金具の固定にコンクリートブロックの空洞を利用できる。そのうえ、空洞を有するコンクリートブロックは、特許文献１、２のような中実のものに比べて重量が軽く、建物の屋上に設置する架台にはふさわしい。
【０００９】
しかし、特許文献３の支持金具は、コンクリートブロックに対する固定と、太陽電池パネルに対する固定が、支持金具を構成する２つの部材を近接方向に締め付けることでなされる構成であるので、作業性の点で改良の余地がある。
【先行技術文献】
【特許文献】
【００１０】
【特許文献１】登録実用新案第３１９７２１９号公報
【特許文献２】登録実用新案第３１８６０６８号公報
【特許文献３】特許第５９８７１３０号公報
【考案の概要】
【考案が解決しようとする課題】
【００１１】
この考案は、設置に際しての作業性が良いうえに、十分な設置強度も得られるようにすることを主な目的とする。
【課題を解決するための手段】
【００１２】
そのための手段は、重錘に固定される固定部を下部に有し、太陽電池パネルの縁部に固定される受け部を上部に有した太陽電池パネル支持金具であって、前記重錘を締め付ける方向に組み合わされる対をなす主金具担体と従金具担体を備え、前記受け部が、前記主金具担体のみに形成され、前記固定部が、前記重錘としてのコンクリートブロックの上面に接する接地片と、前記接地片の端から延設されて前記コンクリートブロックの空洞の天井面に接して前記接地片との間で前記コンクリートブロックの一部を挟持する挟持挿入片を有する太陽電池パネル支持金具である。
【００１３】
この構成では、上部に受け部を有する主金具担体が単独で太陽電池パネルの縁部に対して固定される。太陽電池パネルに固定された主金具担体は、対をなす従金具担体と共に、重錘であるコンクリートブロックを締め付けることによって、下部の固定部を重錘に固定する。重錘に対する固定は、挟持挿入片を重錘の空洞に差し込むとともに、主金具担体と従金具担体を互いに結合し合う。この固定では、重錘を締め付ける方向での固定と、重錘の一部を接地片と挟持挿入片で挟む方向での固定の双方がなされる。
【考案の効果】
【００１４】
この考案によれば、支持金具を構成する金具担体のうちの一方の主金具担体における受け部を太陽電池パネルに固定したのち、その主金具担体を従金具担体と共に重錘に固定するので、支持金具の太陽電池パネルに対する固定作業と、支持金具の重錘に対する固定作業を分離することができて、設置の作業性が向上する。
【００１５】
重錘に対する固定では、接地片と挟持挿入片を有する固定部が、方向性の異なる２つの方向で挟持するので、強固な固定が可能であり、十分な設置強度が得られる。しかも、挟持挿入片は、重錘の空洞に挿入されるので、たとえ変形しても重錘からは抜けない構造にすることができる。
【図面の簡単な説明】
【００１６】
【図１】太陽電池パネル架台構造の斜視図。
【図２】太陽電池パネル架台構造の側面図。
【図３】太陽電池パネル架台構造の施工の一工程を示す断面図。
【図４】要部の拡大断面図。
【図５】太陽電池パネル支持金具の分解斜視図。
【図６】要部の拡大断面図。
【図７】太陽電池パネル支持金具の分解斜視図。
【考案を実施するための形態】
【００１７】
この考案を実施するための一形態を、以下図面を用いて説明する。
【００１８】
図１に太陽電池パネル１１を設置する太陽電池パネル架台構造の斜視図を示す。この図に示すように架台構造は、設置面１２に載置される重錘１３と、重錘１３の上方に太陽電池パネル１１を前後方向に傾けて支持する太陽電池パネル支持金具１５（以下、「支持金具」という）で構成されている。
【００１９】
設置面１２は、例えば建物の屋上のコンクリート面などである。設置構造は、例えば設置面１２にアンカーボルトを打ち込んだり設置面１２を穿ったりするような、設置面１２に対する永久的な変形を伴わずに、基本的には設置面１２に載置するだけで施工がなされるように構成されている。
【００２０】
太陽電池パネル１１の設置数や配置は設置面１２の大きさや形状などに応じて適宜設定されるが、図１には、平面視長方形の太陽電池パネル１１の短手方向を前後方向、具体的には北半球においては日当たりを考慮して南北方向に向け、前方、つまり南側を下に傾けて複数配置したものを例示している。太陽電池パネル１１の傾斜角度は、設置場所・地域などの条件に応じて適宜設定される。
【００２１】
図１の例では、６枚の太陽電池パネル１１を前後方向（南北方向）と直交する左右方向（東西方向）に３枚、前後方向に２列配置したが、このような配置に限定されるものではない。なお、前述の南北方向とは厳密な意味での南北方向ではなく、設置面１２の存在する場所・地域に応じて適宜設定される方向である。
【００２２】
図１に示した設置構造における１枚の太陽電池パネル１１を側方、具体的には東側から見た状態の側面図を図２に示す。図１、図２に示したように、重錘１３は、コンクリート二次製品のなかでも、加工の手間が不要で入手しやすいなどの点から建築用の空洞を有したコンクリートブロックが好適に用いられる。コンクリートブロックからなる重錘１３は、上面１３ａと下面（底面）１３ｂが所定大の方形をなす方塊状で、所定厚さの厚み方向の中間部に、一方向に沿って貫通した１個以上の空洞１３ｃを有する形状である。つまり上面１３ａと下面１３ｂの一方向の平らな両側面１３ｄに空洞１３ｃが開口している。コンクリートブロックには、厚さ（側面１３ｄの高さ）や、上面１３ａ又は下面１３ｂと空洞１３ｃを形成する面との間の高さなど、寸法が異なる複数種類のものが存在するが、いずれのものでも使用可能である。
【００２３】
コンクリートブロックは、いわゆる縁石と称される四角柱状をなす中実のコンクリートブロックに比べると軽く、建物の屋上に設置するのに適している。たとえば、たてよこ１２０ｍｍで長さ６００ｍｍの縁石では、重さが２１Ｋｇであるが、上面１３ａと下面１３ｂが１９０ｍｍ×１９０ｍｍの正方形で、１個の空洞１３ｃが開口した側面１３ｄの高さ（厚さ）が１５０ｍｍである、いわゆる１／２形のコンクリトートブロックでは重さが６．８Ｋｇである。
【００２４】
重錘１３は太陽電池パネル１１の下方に位置している。具体的には、重錘１３は設置面１２における個々の太陽電池パネル１１に対応する部位の前後に配設される。配設に際しては、空洞１３ｃが延びる方向を前後方向（南北方向）に向けて前と後に２個ずつ左右方向（東西方向）に並べて載置される。
【００２５】
重錘１３の左右方向（東西方向）の長さが長い場合には、左右方向（東西方向）に並設される太陽電池パネル１１間に、共通の重錘１３を備えることができる。換言すれば、重錘１３の長手方向の中間位置を太陽電池パネル１１同士の合わせ目に対応させて、太陽電池パネル１１間に跨った状態で備える。このようにすると、設置状態における太陽電池パネル１１の一体性が高められる。
【００２６】
また、コンクリートブロックからなる重錘１３は、コンクリート製の設置面１２に対して載置されるだけでよいが、設置面１２が強風にさらされる場所である場合など、より高い強度が必要な場合には、図２に示したように、設置面１２に対して接着固定される。図２中、１９は接着剤である。
【００２７】
接着剤１９には、コンクリート同士を接着する適宜のボンドが使用され、設置した場合に予想される荷重（自重、風圧力、積雪重量、地震力など）と設置面１２の性状を考慮して、必要な設置強度が得られる接着力のものが選択される。
【００２８】
支持金具１５は、重錘１３に固定される固定部１５ａを下部に有し、太陽電池パネル１１の縁部、つまり枠体１１ａに固定される受け部１５ｂを上部に有している。支持金具１５は、図２、図３に示したように、重錘１３を締め付ける方向に組み合わされる対をなす主金具担体５１と従金具担体５２を備えている。重錘１３を締め付ける方向とは、重錘１３の空洞１３ｃが延びる方向である。
【００２９】
支持金具１５には、太陽電池パネル１１の傾斜下側を支持する南側支持金具１５Ｘ（図４、図５参照）と、傾斜上側を支持する北側支持金具１５Ｙ（図６、図７参照）の２種類があり、南側支持金具１５Ｘと北側支持金具１５Ｙのいずれも、前述の固定部１５ａと受け部１５ｂを有している。図４は、南側支持金具１５Ｘの固定状態を示す断面図であり、図５は南側支持金具１５Ｘの分解斜視図である。同様に、図６は北側支持金具１５Ｙの固定状態を示す断面図であり、図７は北側支持金具１５Ｙの分解斜視図である。これらの図に示すように、南側支持金具１５Ｘと北側支持金具１５Ｙにおける主金具担体５１と従金具担体５２は、適宜幅の金属板を折り曲げて構成されている。
【００３０】
南側支持金具１５Ｘと北側支持金具１５Ｙの固定部１５ａは、重錘１３の上面１３ａに接する接地片５５と、接地片５５の端から延設されて重錘１３の空洞１３ｃの天井面に接して接地片５５との間で重錘１３の一部である上面板部１３ｅを挟持する挟持挿入片５６を有している。
【００３１】
挟持挿入片５６は、重錘１３の上面板部１３ｅの厚さに対応する長さの垂直部５６ａを有する側面視Ｌ字状である。挟持挿入片５６の長さは、十分な挟持状態を得るのに必要な適宜の長さに設定される。挟持挿入片５６の幅は、重錘１３の空洞１３ｃの大きさに合わせて、挿入した際に前述のように空洞１３ｃの天井面に面接触可能な大きさに設定されている。
【００３２】
接地片５５における挟持挿入片５６とは反対側の端からは、上方に向けて延びる起立片５７が形成されている。
【００３３】
固定部１５ａを構成する接地片５５及び挟持挿入片５６と、起立片５７の幅は適宜違えてもよいが、図示例の支持金具１５では、同一に設定した例を示している。
【００３４】
また、図示例の支持金具１５では、固定部１５ａを構成する接地片５５と挟持挿入片５６を主金具担体５１と従金具担体５２の双方に形成している。つまり、主金具担体５１と従金具担体５２の起立片５７同士を接近させて接触するように締め付けると、前述のように固定部１５ａが重錘１３に固定される構造である。このため、主金具担体５１と従金具担体５２の接地片５５の長さは、合わせると重錘１３の空洞１３ｃが延びる方向の長さに対応する値に設定されている。特に、主金具担体５１と従金具担体５２の接地片５５の長さは同一である。これによって、起立片５７の位置が、重錘１３の空洞１３ｃの延びる方向の中間位置に設定されることになる。
【００３５】
また、主金具担体５１と従金具担体５２の起立片５７には、締め付けのための締結ボルト５８を通す貫通穴５７ａが形成されている。貫通穴５７ａは接地片５５に近い位置であるのが好ましい。
【００３６】
従金具担体５２の起立片５７は、貫通穴５７ａを形成するのに必要な長さに設定されている。従金具担体５２は、すべての支持金具１５において同一形状である。
【００３７】
主金具担体５１の起立片５７の上には、従金具担体５２とは異なり、前述の受け部１５ｂが形成されている。つまり、受け部１５ｂは主金具担体５１のみに形成されている。
【００３８】
受け部１５ｂは、太陽電池パネル１１の傾斜に対応して傾く傾斜片５９と、傾斜片５９に固定されて太陽電池パネル１１の枠体１１ａを傾斜片５９との間に挟持する挟持具６０で構成されている。
【００３９】
ここで、図４、図６に示したように、太陽電池パネル１１の枠体１１ａの裏面側は断面Ｌ字状に形成され、太陽電池モジュール１１ｂを浮かせる脚片１１ｃと、脚片１１ｃの下端から内周方向に突出する突片１１ｄを有している。脚片１１ｃは枠体１１ａの全周にわたって同一高さに形成されている。同様に、突片１１ｄも枠体１１ａの全周にわたって同一幅に形成されている。また突片１１ｄの適宜位置には貫通穴１１ｅが形成されている。前述の挟持具６０は、傾斜片５９との間で枠体１１ａの突片１１ｄを挟み付けて固定する。
【００４０】
受け部１５ｂを有する主金具担体５１は、対をなして太陽電池パネル１１の傾斜方向に並ぶ金具担体のうち、傾斜下方に位置するものである。このため、傾斜片５９は起立片５７の上端から傾斜上方に向けて延びている。
【００４１】
傾斜片５９には、長手方向、換言すれば傾斜方向に沿って延びる長穴５９ａが形成されている。この長穴５９ａは挟持具６０の固定ボルト６１が挿通される部分である。
【００４２】
挟持具６０は、枠体１１ａの突片１１ｄの幅に対応する大きさの方形板状であって、中央には、固定ボルト６１を挿通するボルト挿通穴６０ａが形成されている。
【００４３】
南側支持金具１５Ｘの受け部１５ｂには、図４、図５に示したように、補助金具６２が備えられている。補助金具６２は、重合板部６３と、重合板部６３の端から起立する係止爪６４を有している。重合板部６３は、傾斜片５９に重なる部分であり、傾斜片５９と同じ幅に板状に形成され、中央部に、長手方向に沿って延びる長穴６３ａが形成されている。長穴６３ａは固定ボルト６１が挿通する部分である。係止爪６４は、太陽電池パネル１１の枠体１１ａの下端角に係止するものであり、確固とした係止状態を得られる適宜長さに設定されている。
【００４４】
一方、北側支持金具１５Ｙの受け部１５ｂの傾斜片５９には、南側支持金具１５Ｘの補助金具６２の係止爪６４に相当する係止爪部６５が一体に形成されている。つまり、傾斜片５９の上端から傾斜片５９に垂直な係止爪部６５が垂設されている。
【００４５】
以上のような構成の支持金具１５は、次のように使用されて架台構造を構成する。
【００４６】
まず、支持金具１５のうちの主金具担体５１を太陽電池パネル１１の枠体１１ａにおける傾斜下方と傾斜上方の２辺における長手方向の所定位置に固定する。固定位置は、設置面１２に対する重錘１３の配置と重錘１３における空洞１３ｃの位置を考慮して設定される。
【００４７】
主金具担体５１の重錘１３に対する固定は、次のように行われる。南側支持金具１５Ｘにおいては、図４に示したように、固定ボルト６１を通した挟持具６０を枠体１１ａの突片１１ｄの内側面に当てて、枠体１１ａの下に補助金具６２と主金具担体５１の傾斜片５９を重ね、固定ボルト６１で締め付ける。北側支持金具１５Ｙにおいては、図６に示したように、固定ボルト６１を通した挟持具６０を枠体１１ａの突片１１ｄの内側面に当てて、枠体１１ａの下に主金具担体５１の傾斜片５９を重ね、固定ボルト６１で締め付ける。挟持具６０は突片１１ｄを補強しつつ挟持を行う。
【００４８】
主金具担体５１の固定は、太陽電池パネル１１を表裏反転させたり、立て掛けたりして行うと、作業がしやすい。
【００４９】
つぎに、設置面１２に載置され、必要応じて設置面１２に接着固定された重錘１３に対して支持金具１５を固定する。この固定は、図３に示したように、主金具担体５１の挟持挿入片５６を重錘１３の空洞１３ｃに対して、傾斜下方側から差し込んで接地片５５を重錘１３の上面１３ａに載置するとともに、従金具担体５２の挟持挿入片５６を重錘１３の空洞１３ｃに対して、傾斜上方側から差し込んで接地片５５を重錘１３の上面１３ａに載置する。そして主金具担体５１と従金具担体５２の起立片５７同士を締結ボルト５８で近接方向に締め付ける。
【００５０】
このようにして架台構造が構成されるので、太陽電池パネル１１に対する支持金具１５の固定と、支持金具１５の重錘１３に対する固定を分けて行うことができるうえに、支持金具１５の重錘１３に対する固定では、手の届きにくいところに手を延ばす必要はなく、支持金具１５の起立片５７を締結ボルト５８で締め付けるだけであるので、設置作業が段階的に行えることと相まって、作業性が良い。
【００５１】
作業性の良さは、受け部１５ｂを備えている主金具担体５１を傾斜下方側に位置するものとして揃えたことによって、増長される。つまり、設置面１２の重錘１３に対して一方向から移動させることによって、重錘１３を動かさずとも重錘１３への固定ができる。また、傾斜下方側から移動させることになるので、低い位置での作業であっても、先に南側支持金具１５Ｘの挟持挿入片５６を重錘１３に差し込むようにすれば、北側支持金具１５Ｙの挿入も自動的に容易に行える。
【００５２】
また、設置状態においては、支持金具１５が重錘１３を設置面１２の面方向と平行な方向に締め付けるとともに、重錘１３の上面板部１３ｅを厚みの方向で挟むので、強固な固定状態が得られる。
【００５３】
しかも、固定部１５ａが主金具担体５１と従金具担体５２の双方に形成されるとともに、固定部１５ａを構成する接地片５５の長さが同一であるので、起立片５７を重錘１３における締め付ける方向の中間位置に設定することができる。このため、支持金具１５に上方へ引き上げられる力がかかっても、重錘１３の一部に偏った力は作用しにくく、安定した設置状態を得られる。特に、重錘１３を接着固定した場合には、強固な固定状態が得られる。接着剤１９が剥離剤で剥がれるものであれば、屋上の設置面１２を損傷せずに済む。
【００５４】
また、受け部１５ｂは傾斜片５９と挟持具６０で構成されているので、太陽電池パネル１１の枠体１１ａの固定は、部材を重ね合わせるとともに固定ボルト６１を締めつければよく、作業性が良い。しかも、傾斜片５９は、傾斜上方に向けて延設されているので、傾斜片５９の下の空間を確保できる。このため、挟持具６０の固定のための回転作業などが行いやすい。そのうえ受け部１５ｂは、枠体１１ａの長手方向の適宜の位置に固定できる上に、強固な固定状態を得ることもできる。
【００５５】
加えて、係止爪６４や係止爪部６５を有しているので、このことからも、固定強度を高めることができる。
【００５６】
以上の構成はこの考案を実施するための一形態であって、この考案は前述の構成のみに限定されるものではなく、その他の構成を採用することもできる。
【００５７】
たとえば主金具担体５１と従金具担体５２の締め付けは起立片５７以外の部位で行う構成であってもよい。
【００５８】
また受け部１５ｂは、枠体１１ａに設けられている穴を利用して固定するものであるほか、必要な位置に穴を開けてその穴を利用して固定するものであってもよい。穴を利用しないで挟み付ける手固定する構造とすることもできる。
【００５９】
補助金具６２を備えるのは南側支持金具１５Ｘではなく、北側支持金具１５Ｙでもよい。この場合には、傾斜片５９は傾斜下方に向けて延設され、一体の係止爪部６５は南側支持金具１５Ｘの傾斜片５９の下端に形成されることになる。また、南側支持金具１５Ｘと北側支持金具１５Ｙの双方に補助金具６２を備える構成としてもよい。さらに、補助金具６２を省略して、係止爪６４に相当する構成を幅方向の両側部に一体形成したり、幅方向の一部に切り起こし形成したりすることもできる。
【００６０】
挟持具６０は、長尺形状に形成されて、固定ボルト６１を通す貫通穴１１ｅを複数個備えたものであってもよい。
【符号の説明】
【００６１】
１１…太陽電池パネル
１２…設置面
１３…重錘
１３ａ…上面
１３ｃ…空洞
１３ｅ…上面板部
１５…太陽電池パネル支持金具
１５ａ…固定部
１５ｂ…受け部
１９…接着剤
５１…主金具担体
５２…従金具担体
５５…接地片
５６…挟持挿入片
５９…傾斜片
６０…挟持具
６５…係止爪部
【図１】
0003218008.tif 000003
【図２】
0003218008.tif 000004
【図３】
0003218008.tif 000005
【図４】
0003218008.tif 000006
【図５】
0003218008.tif 000007
【図６】
0003218008.tif 000008
【図７】
0003218008.tif 000009